(57)【特許請求の範囲】
【請求項１】
冷却タンクと、この冷却タンクからの冷水を出水口まで導く出水回路と、この出水回路の途中に着脱自在に介設された浄水器と、これらの冷却タンク、出水回路及び浄水器を収納するキャビネットとを備えた浄水機能付冷水機において、
前記キャビネットの一部分を外部へ開放し、このキャビネットの開放部分に対応して前記浄水器を収納する浄水器収納室を形成するとともに、
前記キャビネットの開放部分を覆って開閉自在となった収納室カバーを更に備えたことを特徴とする浄水機能付冷水機。
【請求項２】
冷却タンクと、この冷却タンクからの冷水を出水口まで導く出水回路と、この出水回路の途中に着脱自在に介設された浄水器と、これらの冷却タンク、出水回路及び浄水器を収納するキャビネットとを備えた浄水機能付冷水機において、
前記キャビネット前面の一部分を外部へ開放し、このキャビネット前面の開放部分に対応して前記浄水器を収納する浄水器収納室を形成するとともに、
前記キャビネット前面の開放部分を覆って開閉自在となった前面カバーを更に備えたことを特徴とする浄水機能付冷水機。
【請求項３】
前記キャビネット内において、前記冷却タンクと前記浄水器とを覆う断熱部材を更に備え、
前記断熱部材のうち前記収納室カバーに対応するカバー部分は、前記断熱部材のその他の部分とは分離して形成されており、
前記収納室カバーを開いた状態において、前記断熱部材のカバー部分を着脱可能としたことを特徴とする請求項１記載の浄水機能付冷水機。
【請求項４】
前記断熱部材のカバー部分は、前記収納室カバーの裏面に一体的に結合されていることを特徴とする請求項３記載の浄水機能付冷水機。
【請求項５】
前記キャビネットの前記浄水器収納室に隣接する部分に、前記出水回路の出水口部分が延出した取水部が設けられていることを特徴とする請求項１記載の浄水機能付冷水機。
【請求項６】
冷水機本体内に、冷却タンクと、この冷却タンクからの冷水を出水口まで導く出水回路と、この出水回路の途中に介設された浄水器とを備えた浄水機能付冷水機において、
前記冷却タンク内の冷水を循環させる循環回路を更に備え、
前記浄水器は、２つの独立した通水路の形成された二重構造を有し、その一方の通水路は、前記出水回路の途中に介在されるとともに濾過部材を充填され、他方の通水路は、前記循環回路の途中に介在され、前記他方の通水路を流れる冷水によって前記一方の通水路の内部を冷却状態に維持するように構成され、
前記浄水器は、前記冷却タンクからの循環回路及び出水回路にそれぞれ接続される冷却水入口側接続口及び浄水用入口側接続口が一端側に設けられ、前記冷却タンクへ戻る循環回路に接続される冷却水出口側接続口が他端側に設けられるとともに、前記浄水器の一端側の各入口側接続口と前記循環回路及び前記出水回路との間、及び前記浄水器の他端側の循環水用出口側接続口と前記循環回路との間に、それぞれ接続部材が介設され、これらの接続部材を介して、前記浄水器の各接続口が前記循環回路及び前記出水回路に対して着脱自在に連結されており、
各接続部材は、一面側に、前記浄水器の対応する接続口と嵌合接続される接合部が設けられ、その裏面側に、対応する前記循環回路及び前記出水回路に接続される配管接続部が設けられ、一方の前記接続部材に、その接合部を、対応する前記浄水器の接続口に対して押圧接合させるための押圧手段が設けられ、他方の前記接続部材は、冷水機本体側に対して固定されるとともに、
前記押圧手段を操作して、前記浄水器の接続口に対する一方の前記接続部材の押圧と押圧解除との切換を行うための操作レバーを更に備えたことを特徴とする浄水機能付冷水機。
【請求項７】
前記押圧手段は、前記操作レバーの操作に連動して回動するカム部材と、このカム部材の回動に伴って移動される従動部材とを有し、この従動部材は、弾性部材を介して一方の前記接続部材と連結されていることを特徴とする請求項６記載の浄水機能付冷水機。
【請求項８】
前記押圧手段の設けられた一方の接続部材は、前記浄水器の冷却水用出口側接続口と嵌合接続される接合部と、この接合部と連通し前記冷却タンクへ戻る循環回路の配管と接続される配管接続部とを有し、前記冷却タンクへ戻る循環回路の配管の少なくとも一部が可撓性材料で作られていることを特徴とする請求項７記載の浄水機能付冷水機。
【請求項９】
冷水機本体内に、冷却タンクと、この冷却タンクからの冷水を出水口まで導く出水回路と、この出水回路の途中に介設された浄水器とを備えた浄水機能付冷水機において、
前記冷却タンク内の冷水を循環させる循環回路を更に備え、
前記浄水器は、２つの独立した通水路の形成された二重構造を有し、その一方の通水路は、前記出水回路の途中に介在されるとともに濾過部材を充填され、他方の通水路は、前記循環回路の途中に介在され、前記他方の通水路を流れる冷水によって前記一方の通水路の内部を冷却状態に維持するように構成され、
前記浄水器は、前記冷却タンクからの循環回路及び出水回路にそれぞれ接続される冷却水入口側接続口及び浄水用入口側接続口が一端側に設けられ、前記冷却タンクへ戻る循環回路に接続される冷却水出口側接続口が他端側に設けられるとともに、これらの各接続口が前記循環回路及び前記出水回路に対して着脱自在となっており、
前記浄水器は、前記出水口に連通する出水回路と接続される浄水用出口側接続口が設けられ、
前記出水口に連通する出水回路の配管が、前記浄水器の外側に対して係止されていることを特徴とする浄水機能付冷水機。
【請求項１０】
前記冷水機本体が、請求項１記載のキャビネットによって覆われるとともに、
請求項１記載の浄水器収納室及び収納室カバーを更に備え、
前記キャビネット内において、前記浄水器収納室とその他の部分との間を仕切る収納室壁面を設けるとともに、この収納室壁面と、前記冷水機本体側に対して固定される他方の接続部材とが一体的に形成されていることを特徴とする請求項６記載の浄水機能付冷水機。
【請求項１１】
水抜き用開閉弁と、この水抜き用開閉弁によって開閉される水抜き口とを有する水抜き管を更に備え、
前記冷水機本体側に対して固定される他方の接続部材は、前記浄水器の下側に配置されるとともに、その上面側に、前記浄水器の冷却水用入口側接続口及び浄水用入口側接続口とそれぞれ嵌合接続される冷却水用接合部及び浄水用接合部が設けられ、その裏面側に、前記冷却水用接合部と連通し前記冷却タンクからの循環回路の配管と前記水抜き管とに接続される冷却水用配管接続部と、前記浄水用接合部と連通し前記冷却タンクからの出水回路の配管と前記水抜き管とに接続される浄水用配管接続部とが設けられていることを特徴とする請求項１０記載の浄水機能付冷水機。
【請求項１２】
前記出水口に連通する出水回路の配管は、前記浄水器の外側に対して係止されるとともにその前記出水口側の部分が前記浄水器の下方へ延出し、
前記冷水機本体側に対して固定される他方の接続部材は、前記浄水器の下側に配置されるとともに、前記出水回路の配管の前記出水口側の部分に対応する切欠部を有することを特徴とする請求項６記載の浄水機能付冷水機。
【請求項１３】
前記冷却タンクと前記浄水器との間の出水回路の途中から分岐する排水管を更に備え、
この排水管は、先端に排水口が設けられるとともに、その途中に、空気抜き用開閉弁と、この空気抜き用開閉弁によって開閉される空気口とが介設され、
前記空気抜き用開閉弁を操作するための空気抜き弁操作手段が、前記浄水器収納室内に設けられていることを特徴とする請求項１記載の浄水機能付冷水機。
【請求項１４】
前記水抜き用開閉弁を操作するための水抜き弁操作手段が、前記浄水器収納室内に設けられていることを特徴とする請求項１１記載の浄水機能付冷水機。
【請求項１５】
前記収納室カバーに、前記取水部に延出した前記出水回路の出水口部分を使用者の側から覆い隠すための出水口カバーを突出形成したことを特徴とする請求項５記載の浄水機能付冷水機。
【発明の詳細な説明】
【０００１】
【発明の属する技術分野】
本発明は、冷却タンクからの冷水を出水口まで導く出水回路の途中に、浄水器を着脱自在に介設した浄水機能付冷水機に係り、とりわけ、浄水器の取付け構造等を改良した浄水機能付冷水機に関する。
【０００２】
【従来の技術】
従来、冷却タンクからの冷水を出水口まで導く出水回路の途中に、浄水器（浄水カートリッジ）を着脱自在に介設した浄水機能付冷水機においては、浄水器が冷却タンクやその他の機器類と共にキャビネット内に収納されている。また、浄水器を各配管に対して、いわゆるワンタッチジョイントやねじ接続等によって個別に接続するようにしている。
【０００３】
【発明が解決しようとする課題】
上述したような浄水機能付冷水機は、以下のような問題点がある。すなわち、浄水器が冷却タンクやその他の機器類と共にキャビネット内に収納されているので、浄水器の交換作業が煩雑である。また、浄水器を各配管に対して個別に接続するようにしているので、接続作業が面倒であり、特にねじ接続では各接続部毎にねじを回す手間が掛かる。
【０００４】
本発明は、このような点を考慮してなされたものであり、浄水器の交換作業を容易に行うことの出来る浄水機能付冷水機を提供することを目的とする。
【０００５】
【課題を解決するための手段】
第１の手段は、冷却タンクと、この冷却タンクからの冷水を出水口まで導く出水回路と、この出水回路の途中に着脱自在に介設された浄水器と、これらの冷却タンク、出水回路及び浄水器を収納するキャビネットとを備えた浄水機能付冷水機において、前記キャビネットの一部分を外部へ開放し、このキャビネットの開放部分に対応して前記浄水器を収納する浄水器収納室を形成するとともに、前記キャビネットの開放部分を覆って開閉自在となった収納室カバーを更に備えたことを特徴とする浄水機能付冷水機である。
【０００６】
この第１の手段によれば、収納室カバーを開くだけで、収納室内の浄水器を露出させ、浄水器の着脱作業を行うことができる。
【０００７】
第２の手段は、冷却タンクと、この冷却タンクからの冷水を出水口まで導く出水回路と、この出水回路の途中に着脱自在に介設された浄水器と、これらの冷却タンク、出水回路及び浄水器を収納するキャビネットとを備えた浄水機能付冷水機において、前記キャビネット前面の一部分を外部へ開放し、このキャビネット前面の開放部分に対応して前記浄水器を収納する浄水器収納室を形成するとともに、前記キャビネット前面の開放部分を覆って開閉自在となった前面カバーを更に備えたことを特徴とする浄水機能付冷水機である。
【０００８】
この第２の手段によれば、前面カバーを開くだけで、収納室内の浄水器を露出させ、浄水器の着脱作業を行うことができる。
【０００９】
第３の手段は、第１の手段において、前記キャビネット内において、前記冷却タンクと前記浄水器とを覆う断熱部材を更に備え、前記断熱部材のうち前記収納室カバーに対応するカバー部分は、前記断熱部材のその他の部分とは分離して形成されており、前記収納室カバーを開いた状態において、前記断熱部材のカバー部分を着脱可能としたものである。
【００１０】
この第３の手段によれば、第１の手段において、断熱部材によって冷却タンクと浄水器を断熱することによって、冷水機の冷却効率を向上させることができると共に、キャビネット表面への結露を防止することができる。また、断熱部材のカバー部分は、断熱部材のその他の部分とは分離して形成されており、収納室カバーを開いた状態において、断熱部材のカバー部分を着脱可能としたので、浄水器の交換作業を円滑に行うことができる。
【００１１】
第４の手段は、第３の手段において、前記断熱部材のカバー部分は、前記収納室カバーの裏面に一体的に結合されているものである。
【００１２】
この第４の手段によれば、第３の手段において、収納室カバーを開くだけで、断熱部材のカバー部分も同時に外れるので、浄水器の交換作業をより一層円滑に行うことができる。
【００１３】
第５の手段は、第１の手段において、前記キャビネットの前記浄水器収納室に隣接する部分に、前記出水回路の出水口部分が延出した取水部が設けられているものである。
【００１４】
この第５の手段によれば、第１の手段において、浄水器から出水回路の出水口部分までの配管を、浄水器収納室に隣接する取水部に直接導くことができるので、その配管の配設が容易となる。
【００１５】
第６の手段は、冷水機本体内に、冷却タンクと、この冷却タンクからの冷水を出水口まで導く出水回路と、この出水回路の途中に介設された浄水器とを備えた浄水機能付冷水機において、前記冷却タンク内の冷水を循環させる循環回路を更に備え、前記浄水器は、２つの独立した通水路の形成された二重構造を有し、その一方の通水路は、前記出水回路の途中に介在されるとともに濾過部材を充填され、他方の通水路は、前記循環回路の途中に介在され、前記他方の通水路を流れる冷水によって前記一方の通水路の内部を冷却状態に維持するように構成され、前記浄水器は、前記冷却タンクからの循環回路及び出水回路にそれぞれ接続される冷却水入口側接続口及び浄水用入口側接続口が一端側に設けられ、前記冷却タンクへ戻る循環回路に接続される冷却水出口側接続口が他端側に設けられるとともに、前記浄水器の一端側の各入口側接続口と前記循環回路及び前記出水回路との間、及び前記浄水器の他端側の循環水用出口側接続口と前記循環回路との間に、それぞれ接続部材が介設され、これらの接続部材を介して、前記浄水器の各接続口が前記循環回路及び前記出水回路に対して着脱自在に連結されており、各接続部材は、一面側に、前記浄水器の対応する接続口と嵌合接続される接合部が設けられ、その裏面側に、対応する前記循環回路及び前記出水回路に接続される配管接続部が設けられ、一方の前記接続部材に、その接合部を、対応する前記浄水器の接続口に対して押圧接合させるための押圧手段が設けられ、他方の前記接続部材は、冷水機本体側に対して固定されるとともに、前記押圧手段を操作して、前記浄水器の接続口に対する一方の前記接続部材の押圧と押圧解除との切換を行うための操作レバーを更に備えたことを特徴とする浄水機能付冷水機である。
【００１６】
この第６の手段によれば、浄水器は、他方の通水路を流れる冷却タンクの冷水によって内部が冷却状態に維持されるので、冷却タンク内の冷水の温度に近い温度の浄水を出水口から供給することができる。また、浄水器は、出水回路及び循環回路に対して着脱自在に連結されているので、浄水器全体を容易に着脱することができる。
【００１８】
また、浄水器に設けられた各接続口が循環回路及び出水回路に対して着脱自在となっているので、浄水器の交換の容易性を確保しつつ、浄水器と循環回路及び出水回路との間の接続を確実に行うことができる。
【００２０】
また、浄水器の各接続口と循環回路及び出水回路との間の着脱を、接続部材を介して行うことにより、直接着脱を行う場合に比べ、装着性の向上を図ることができる。
【００２２】
また、各接続部材は、その配管接続部によって、対応する循環回路及び出水回路と確実に接続できるとともに、その接合部によって、浄水器の対応する接続口と容易かつ確実に接続することができる。
【００２５】
また、一方の接続部材を、押圧手段によって対応する浄水器の接続口に対して押圧接合させることにより、反対側の他方の接続部材も対応する浄水器の接続口に対して押圧接合されるので、各接続部材の浄水器の接続口に対する接合を確実に保持し、接合部分のシール性を高めることができる。
【００２７】
また、操作レバーによって浄水器の接続口に対する接続部材の押圧と押圧解除との切換を行うことにより、浄水器の着脱を容易に行うことができる。
【００２８】
第７の手段は、第６の手段において、前記押圧手段は、前記操作レバーの操作に連動して回動するカム部材と、このカム部材の回動に伴って移動される従動部材とを有し、この従動部材は、弾性部材を介して一方の前記接続部材と連結されているものである。
【００２９】
この第７の手段によれば、第６の手段において、操作レバーの操作に連動して回動するカム部材によって、従動部材を介して接合部材が押圧されるので、操作レバーの操作による接続部材の押圧と押圧解除との切換を確実に行うことができる。
【００３０】
第８の手段は、第７の手段において、前記押圧手段の設けられた一方の接続部材は、前記浄水器の冷却水用出口側接続口と嵌合接続される接合部と、この接合部と連通し前記冷却タンクへ戻る循環回路の配管と接続される配管接続部とを有し、前記冷却タンクへ戻る循環回路の配管の少なくとも一部が可撓性材料で作られているものである。
【００３１】
この第８の手段によれば、第７の手段において、押圧手段の設けられた一方の接合部材の移動の際、冷却タンクへ戻る循環回路の配管の可撓性材料で作られた部分の撓みによって、その移動の円滑性が保たれる。このことにより、操作レバーによる、浄水器の接続口に対する接続部材の押圧と押圧解除との切換を円滑に行うことができる。
【００３２】
第９の手段は、冷水機本体内に、冷却タンクと、この冷却タンクからの冷水を出水口まで導く出水回路と、この出水回路の途中に介設された浄水器とを備えた浄水機能付冷水機において、前記冷却タンク内の冷水を循環させる循環回路を更に備え、前記浄水器は、２つの独立した通水路の形成された二重構造を有し、その一方の通水路は、前記出水回路の途中に介在されるとともに濾過部材を充填され、他方の通水路は、前記循環回路の途中に介在され、前記他方の通水路を流れる冷水によって前記一方の通水路の内部を冷却状態に維持するように構成され、前記浄水器は、前記冷却タンクからの循環回路及び出水回路にそれぞれ接続される冷却水入口側接続口及び浄水用入口側接続口が一端側に設けられ、前記冷却タンクへ戻る循環回路に接続される冷却水出口側接続口が他端側に設けられるとともに、これらの各接続口が前記循環回路及び前記出水回路に対して着脱自在となっており、前記浄水器は、前記出水口に連通する出水回路と接続される浄水用出口側接続口が設けられ、前記出水口に連通する出水回路の配管が、前記浄水器の外側に対して係止されていることを特徴とする浄水機能付冷水機である。
【００３３】
この第９の手段によれば、浄水器は、他方の通水路を流れる冷却タンクの冷水によって内部が冷却状態に維持されるので、冷却タンク内の冷水の温度に近い温度の浄水を出水口から供給することができる。また、浄水器は、出水回路及び循環回路に対して着脱自在に連結されているので、浄水器全体を容易に着脱することができる。また、浄水器に設けられた各接続口が循環回路及び出水回路に対して着脱自在となっているので、浄水器の交換の容易性を確保しつつ、浄水器と循環回路及び出水回路との間の接続を確実に行うことができる。さらに、出水口に連通する出水回路を浄水器と一体的に構成することができるので、当該出水回路の配管の配設が容易となる。また、当該出水回路の配管は、浄水器と共に交換されるため、衛生的に保つことができる。
【００３４】
第１０の手段は、第６の手段において、前記冷水機本体が、上記第１の手段のキャビネットによって覆われるとともに、上記第１の手段の浄水器収納室及び収納室カバーを更に備え、前記キャビネット内において、前記浄水器収納室とその他の部分との間を仕切る収納室壁面を設けるとともに、この収納室壁面と、前記冷水機本体側に対して固定される他方の接続部材とが一体的に形成されているものである。
【００３５】
この第１０の手段によれば、第６の手段において、収納室壁面によって浄水器収納室とその他の部分との間が仕切られるので、収納室カバーを開いた場合に、浄水器収納室以外の内部構造が露出することを防いで、美観を保つことができる。また、収納室壁面によって、浄水器収納室内での浄水器の位置決めが容易となる。また、収納室壁面と他方の接続部材とが一体的に形成されているので、収納室の構造上の強度を高めることができる。
【００３６】
第１１の手段は、第１０の手段において、水抜き用開閉弁と、この水抜き用開閉弁によって開閉される水抜き口とを有する水抜き管を更に備え、前記冷水機本体側に対して固定される他方の接続部材は、前記浄水器の下側に配置されるとともに、その上面側に、前記浄水器の冷却水用入口側接続口及び浄水用入口側接続口とそれぞれ嵌合接続される冷却水用接合部及び浄水用接合部が設けられ、その裏面側に、前記冷却水用接合部と連通し前記冷却タンクからの循環回路の配管と前記水抜き管とに接続される冷却水用配管接続部と、前記浄水用接合部と連通し前記冷却タンクからの出水回路の配管と前記水抜き管とに接続される浄水用配管接続部とが設けられているものである。
【００３７】
この第１１の手段によれば、第１０の手段において、各配管接続部によって、各接続部材と対応する回路の配管とを確実に接続し、信頼性を高めることができる。
【００３８】
第１２の手段は、第６の手段において、前記出水口に連通する出水回路の配管は、前記浄水器の外側に対して係止されるとともにその前記出水口側の部分が前記浄水器の下方へ延出し、前記冷水機本体側に対して固定される他方の接続部材は、前記浄水器の下側に配置されるとともに、前記出水回路の配管の前記出水口側の部分に対応する切欠部を有するものである。
【００３９】
この第１２の手段によれば、第６の手段において、他方の接続部材の切欠部に対して、出水回路の配管の出水口側の部分を合わせることにより、浄水器と出水口の位置決めを同時に行うことができ、そのような位置決めの作業が極めて容易となる。
【００４０】
第１３の手段は、第１の手段において、前記冷却タンクと前記浄水器との間の出水回路の途中から分岐する排水管を更に備え、この排水管は、先端に排水口が設けられるとともに、その途中に、空気抜き用開閉弁と、この空気抜き用開閉弁によって開閉される空気口とが介設され、前記空気抜き用開閉弁を操作するための空気抜き弁操作手段が、前記浄水器収納室内に設けられているものである。
【００４１】
この第１３の手段によれば、第１の手段において、収納室カバーを開くだけで、浄水器収納室内の空気抜き弁操作手段を操作することができるので、冷却タンクへの給水、又は水の入れ替えの際に必要な空気抜き作業の作業性を向上させることが出来る。
【００４２】
第１４の手段は、第１１の手段において、前記水抜き用開閉弁を操作するための水抜き弁操作手段が、前記浄水器収納室内に設けられているものである。
【００４３】
この第１４の手段によれば、第１１の手段において、収納室カバーを開くだけで、浄水器収納室内の水抜き弁操作手段を操作することができるので、冷却タンクや配管からの水抜き作業の作業性を向上させることが出来る。
【００４４】
第１５の手段は、第５の手段において、前記収納室カバーに、前記取水部に延出した前記出水回路の出水口部分を使用者の側から覆い隠すための出水口カバーを突出形成したものである。
【００４５】
この第１５の手段によれば、第５の手段において、出水口カバーによって、取水部に延出した出水回路の出水口部分が、使用者の側から覆い隠されるので、冷水機の美観を向上させることが出来る。また、出水口カバーによって出水口の位置が確認できるため、冷水を受けるコップ等の容器を置く位置の間違いを防止できる。
【００４６】
【発明の実施の形態】
次に、図面を参照して本発明の実施の形態について説明する。図１乃至図１４は本発明による浄水機能付冷水機の実施の形態を示す図である。
【００４７】
［第１の実施形態］
まず、図１乃至図１１により本発明の第１の実施形態について説明する。図１及び図２において、浄水機能付冷水機は、冷却タンク１と、この冷却タンク１からの冷水を出水口２ｃまで導く出水回路２（図２参照）と、この出水回路２の途中に着脱自在に介設された浄水器３とを備えている。また、図１及び図２に示すように、上記冷却タンク１、出水回路２及び浄水器３は、箱形のキャビネット１０内に収納されている。
【００４８】
図１及び図２に示すように、キャビネット１０前面の上部は外部へ開放され、このキャビネット１０前面の開放部分に対応して浄水器３を収納する浄水器収納室２０が形成されている。そして、図１乃至図３に示すように、キャビネット１０前面の開放部分（及びその奥の浄水器収納室２０）を覆って、前面カバー（収納室カバー）１２が開閉自在に取り付けられている。この場合、前面カバー１２は、キャビネット１０に対してその一側が回動自在に取り付けられた扉状のものの他、キャビネット１０に対して着脱自在となった蓋状のものでもよい。
【００４９】
次に、図２及び図３に示すように、キャビネット１０前面側において、上記浄水器収納室２０の下方に、浄水器収納室２０に隣接して取水部１１が設けられている。この取水部１１は、その上部から上記出水回路２の出水口２ｃ部分が下方へ延出するとともに、底部に排水皿１３が形成されている。また、図３に示すように、冷水機の正面から見た取水部１１の略中央には、給水スイッチ１４が設けられ、この給水スイッチ１４をコップ等の容器によって押圧することにより、出水口２ｃから冷水が供給されるようになっている。
【００５０】
次に、図１及び図２に示すように、冷水機は、キャビネット１内において、冷却タンク１と浄水器３とを覆う発泡スチロール樹脂等の断熱部材Ｉ１，  Ｉ２を備えている。この断熱部材Ｉ１，  Ｉ２のうち、前面カバー１２に対応するカバー部分Ｉ２は、断熱部材の本体側部分Ｉ１とは分離して形成されるとともに、前面カバー１２の裏面に一体的に結合されている。
【００５１】
次に、図２に示すように、冷水機は、冷却タンク１内の冷水を循環させる循環回路４を更に備えている。また、図１及び図４に示すように、浄水器３は、２つの独立した通水路３１，  ３３の形成された２重構造を有し、その一方の通水路３１は、出水回路２の途中に介在されるとともに濾過部材３５，  ３６を充填され（図２参照）、他方の通水路３３は、上記循環回路４の途中に介在され、他方の通水路３３を流れる冷水によって内部が冷却状態に維持されるように構成されている。
【００５２】
具体的には、浄水器３は、濾過部材を充填された内側容器３０と、この内側側容器３０の周囲を覆う外側容器３２とを有し、内側容器３０は、出水回路２の途中に介在される一方の通水路３１を形成し、外側容器３２は内側容器３０との間に、循環回路４の途中に介在される他方の通水路３３を形成している。なお、内側容器３０内に充填される濾過部材としては、例えば上流側３５に活性炭、下流側３６に中空糸膜のように、２種類以上のものを用いてもよい（図２参照）。
【００５３】
ここで、図２に示すように、循環回路４は、その上流側配管４ａが冷却タンク１の底部に連結されるとともに、その下流側配管４ｂが冷却タンク１の上部に連結され、冷却タンク１内の冷水を自然循環させるように構成されている。また、浄水器３は、出水回路２及び循環回路４に対して着脱自在に連結されている。
【００５４】
次に、図４に示すように、浄水器３の下端側には、冷却タンク１からの循環回路の上流側配管４ａ及び出水回路の上流側配管２ａにそれぞれ接続される冷却水用入口側接続口４Ａ及び浄水用入口側接続口２Ａが設けられている。なお、浄水用入口側接続口２Ａの内部には逆止弁２ｖが設けられている。また、浄水器３の上端側には、冷却タンク１へ戻る循環回路の下流側配管４ｂに接続される冷却水用出口側接続口４Ｂが設けられるている。そして、これらの浄水器３の各接続口４Ａ，  ２Ａ，  ４Ｂが循環回路４及び出水回路２に対して着脱自在となっている。
【００５５】
具体的には、浄水器３の上端側の循環水用出口側接続口４Ｂと循環回路の下流側配管４ｂとの間には、上部接続部材（一方の接続部材）４０が介設されている。また、浄水器３の下端側の各入口側接続口４Ａ，  ２Ａと循環回路４及び出水回路２の各上流側配管４ａ，  ２ａとの間に、下部接続部材（他方の接続部材）６０が介設されている。そして、これらの接続部材６０，  ４０を介して、浄水器３の各接続口４Ａ，  ２Ａ，  ４Ｂが循環回路４及び出水回路２の各配管４ａ，  ２ａ，  ４ｂに対して着脱自在となっている。
【００５６】
上部接続部材４０は、図４に（一部省略して）示すように、その下面側に、浄水器３の循環水用出口側接続口４Ｂと嵌合接続される循環水用出口側接合部４４Ｂが設けられている。また、下部接続部材６０は、図４及び図５に示すように、その上面側に、浄水器３の冷却水用入口側接続口４Ａ及び浄水用入口側接続口２Ａとそれぞれ嵌合接続される、冷却水用入口側接合部６４Ａ及び浄水用入口側接合部６２Ａが設けられている。なお、浄水器３の各接続口４Ａ，  ２Ａ，  ４Ｂの周囲には、それぞれ対応する接続部材６０，  ４０との間のシールを形成するためのパッキンＰ１〜Ｐ３がはめ込まれている。
【００５７】
ここで、図１及び図５に示すように、キャビネット１０内において、浄水器収納室２０とその他の部分（冷却タンク１その他の機器を収納する部分）との間を仕切る収納室壁面２２が設けられている。この収納室壁面２２は、浄水器３の背面部分に対応する円筒面形状を有するとともに、その下端部において、下部接続部材６０と一体的に形成されている。そして、これらの収納室壁面２２及び下部接続部材６０は、冷水機本体側に対して固定されている。
【００５８】
次に、図２及び図５に示すように、上部接続部材４０には、その循環水用出口側接合部４４Ｂを、浄水器３の循環水用出口側接続口４Ｂに対して押圧接合させるための押圧手段５０が設けられている。また、図５に示すように、浄水器収納室２０内に、押圧手段５０を操作して、その上部接続部材４０の上記のような押圧と押圧解除との切換を行うための操作レバー５が設けられている。
【００５９】
ここで、図６乃至図８により、上部接続部材４０及び押圧手段５０について詳細に説明する。図６及び図７に示すように、押圧手段５０は、上記操作レバー５の操作に連動して回動するカム部材５１と、このカム部材５１の回動に伴って上下方向に移動される従動部材５５とを有し、この従動部材５５は、コイルばね（弾性部材）５９を介して上部接続部材４０と連結されている。なお、コイルばね５９に代えてゴム等の他の弾性部材を用いてもよい。
【００６０】
上記カム部材５１は、その下部から後部までに渡って形成された略円弧状の下部作動面５２を有するとともに、その上部がシャフトＳによって操作レバーと連結されている。また、カム部材５１の左右には一対のリブ５３が形成され、各リブ５３の上面側は、下部作動面５２と対応した上部作動面５４を形成している。
【００６１】
次に、上記従動部材５５は、カム部材５１の下部作動面５２と当接する当接面５６ａが形成された本体５６を有している。また、従動部材５５は、その本体５６の左右から上方に延びる一対の上方腕部５７と、同じく下方に延びる一対の下方腕部５８とを有している。このうち、各上方腕部５７の先端部には、カム部材５１の上部作動面５４上に位置するガイド突起５７ａが設けられている。また、各下方腕部５８の先端部には、内方へ突出する突起部５８ａが設けられている。
【００６２】
次に、上部接続部材４０は、略箱状の本体４１と、この本体４１の底部に設けられた接続板４２とを有し、この接続板４２の裏面側に上記冷却水出口側接合部４４Ｂ（図７参照）が形成されている。また、本体４１の左右両側面に、上下方向に延びる長孔４４が形成され、この長孔４４内に、従動部材５５の下方腕部５８の突起部５８ａが摺動自在に受け入れられている。また、上部接続部材４０の本体４１内部には、冷却水出口側接合部４４Ｂと連通し、循環回路４の下流側配管４ｂと接続される配管接続部４３が設けられている。
【００６３】
次に、図７及び図８により、操作レバー５による押圧手段５０の動作について説明する。まず、図７は操作レバー５が押し下げられ、押圧手段５０が押圧状態にある場合を示している（図６も同様）。この押圧状態では、従動部材５５の本体５６が、カム部材５１の作動面５２によって押し下げられ、コイルばね５９を介して上部接続部材４０を浄水器３側に対してに弾性的に押圧している。
【００６４】
そして、図７に示す状態から、操作レバー５を引き上げると、これに連動してカム部材５１が回動し、始めにコイルばね５９の弾発力で作動部材５５の本体５６が上方へ移動し、上部接続部材４０の浄水器３側に対する押圧が解除される。その後、更にカム部材５１が回動すると、図８に示すように、カム部材５１の作動面５４によってガイド突起５７ａを介して作動部材５５が引き上げられ、これに伴って上部接続部材４０が浄水器３から引き離される。
【００６５】
なお、以上のような上部接続部材４０の上下方向の移動を案内し、上部接続部材４０の冷却水出口側接合部４４Ｂと、浄水器３の冷却水出口側接続口４Ｂとの間のずれを防止するために、上部接続部材４０の本体４１の周囲にガイド部材５９が設けられている。また、上部接続部材４０の上下方向の移動の円滑性を保ち、操作レバー５による上部接続部材４０の押圧と押圧解除との切換を円滑に行う上で、循環回路の下流側配管４ｂの少なくとも一部を可撓性材料で作ることが好ましい。
【００６６】
次に、図４に模式的に示すように、下部接続部材６０の下方に、水抜き用開閉弁（水抜き弁）７ｖと、この水抜き弁７ｖによって開閉される水抜き口７ａとを有し、循環回路４及び出水回路２の各上流側配管４ａ，  ２ａに連通する水抜き管７が設けられている。まお、水抜き弁７ｖは、所定圧力以上の水圧が加わると自動的に開放されるリリーフ弁の機能を兼ね備えている。
【００６７】
次に、図４及び図９に示すように、下部接続部材６０は、その裏面側に、上記冷却水用接合部６４Ａと連通する冷却水用配管接続部６４と、上記浄水用接合部６２Ａと連通する浄水用配管接続部６２が設けられている。図９に示すように、冷却水用配管接続部６４には、循環回路の上流側配管４ａが接続される循環回路配管接続部６５が設けられ、浄水用配管接続部６２には、出水回路の上流側配管２ａが接続される出水回路配管接続部６３が設けられている。また、水抜き管７の接続される水抜き管接続部６６が、冷却水用配管接続部６４と浄水用配管接続部６２の両方に連通して設けられている。
次に、図４に示すように、浄水器３の上部に、出水回路の下流側配管２ｂが接続される浄水用出口側接続口２Ｂが設けられている。また、出水回路の下流側配管２ｂは、浄水器３の外側に対して係止されるとともにその出水口２ｃ側部分が浄水器３の下方へ延出している。そして、図５及び図９に示すように、下部接続部材６０は、出水回路の下流側配管２ｂの出水口２ｃ側部分に対応する切欠部６８を有している。
【００６８】
次に、図２に示すように、冷却タンク１と浄水器３との間の出水回路の上流側配管２ａの途中に、下方に向かって分岐する排水管８が設けられている。この排水管８は、下端に排水口８ａが設けられるとともに、その途中に、空気抜き用開閉弁（空気抜き弁）８ｖと、この空気抜き弁８ｖによって開閉される空気口８ｂとが介設されている。
【００６９】
そして、図５及び図１０に示すように、上記空気抜き閉弁８ｖを操作するための空気抜きコック（空気抜き弁操作手段）８０と、上記水抜き弁７ｖ（図４参照）を操作するための水抜きレバー（水抜き弁操作手段）７０とが、それぞれ上記浄水器収納室２０内に設けられている。また、図１０に示すように、水抜きレバー７０の上面には係止段部７２が形成され、この係止段部７２によって、操作レバー５の下端部５ａが係止されるようになっている。そして、水抜きレバー７０を押し下げて水抜き弁７ｖを開いてからでなければ、操作レバー５を引き上げることが出来ないようになっている。
【００７０】
次に、図２及び図１１に示すように、取水部１１の上部において、下方へ延出した出水回路の下流側配管２ｂの出水口２ｃ側部分を使用者の側から覆い隠すための半円筒面状の出水口カバー１２ａが、前面カバー１２の底部に突出形成されている。
【００７１】
次に、このような構成よりなる本実施形態の作用について説明する。本実施形態によれば、キャビネット１０前面から前面カバー１２を開くだけで、浄水器収納室２０内の浄水器３を露出させ、浄水器３の着脱作業を行うことができる。
このため、浄水器３の交換作業を極めて容易に行うことができる。また、キャビネット１０の前面以外の部分が壁や他の機器類によって塞がれている場合であっても、冷水機自体を動かすことなく、浄水器３の交換作業を行うことができる。
【００７２】
また、収納室壁面２２によって浄水器収納室２０とその他の部分との間が仕切られているので、前面カバー１２を開いた場合に、浄水器収納室２０以外の内部構造が露出することを防いで、美観を保つことができる。また、収納室壁面２２によって、浄水器収納室２０内での浄水器３の位置決めが容易となる。また、収納室壁面２２と下部接続部材６０とが一体的に形成されているので、収納室２０の構造上の強度を高めることができる。
【００７３】
次に、断熱部材Ｉ１，  Ｉ２によって冷却タンク１と浄水器３を断熱することによって、冷水機の冷却効率を向上させることができると共に、キャビネット１０表面への結露を防止することができる。また、断熱部材のカバー部分Ｉ２は、断熱部材の本体側部分Ｉ１とは分離され、前面カバー１２の裏面に一体的に結合されているので、キャビネット１０から前面カバー１２を開くだけで、断熱部材のカバー部分Ｉ２も同時に外れるので、浄水器３の交換作業をより一層円滑に行うことができる。
【００７４】
次に、浄水器３は、他方の通水路３３を流れる冷却タンク１の冷水によって内部が冷却状態に維持されるので、冷却タンク１内の冷水の温度に近い温度の浄水を出水口から供給することができる。また、浄水器３に設けられた各接続口４Ａ，  ２Ａ，  ４Ｂが循環回路４及び出水回路２に対して着脱自在となっているので、浄水器３の交換の容易性を確保しつつ、浄水器３と循環回路４及び出水回路２との間の接続を確実に行うことができる。この場合、浄水器３の各接続口４Ａ，  ２Ａ，  ４Ｂと循環回路４及び出水回路２との間の着脱を、接続部材６０，  ４０を介して行うようにしたので、直接着脱を行う場合に比べ、装着性の向上を図ることができる。
【００７５】
さらに、各接続部材６０及び４０は、その配管接続部６４，  ６２及び４３によって、対応する循環回路４及び出水回路２の各配管と確実に接続できるとともに、その接合部６４Ａ，  ６２Ａ及び４４Ｂによって、浄水器３の対応する各接続口４Ａ，  ２Ａ及び４Ｂと容易かつ確実に接続することができる。
【００７６】
また、上部接続部材４０の循環水用出口側接合部４４Ｂを、押圧手段５０によって浄水器３の循環水用出口側接続口４Ｂに対して押圧接合させることにより、反対側の下部接続部材６０の各接合部６４Ａ，  ６２Ａも、対応する浄水器３の各接続口４Ａ，  ２Ａに対して押圧接合されるので、各接続部材４０，  ６０の接合部６４Ａ，  ６２Ａ、４４Ｂと対応する浄水器３の各接続口４Ａ，  ２Ａ，  ４Ｂとの間の接合を確実に保持し、それらの接合部分のシール性を高めることができる。
【００７７】
また、操作レバー５によって浄水器３の循環水用出口側接続口４Ｂに対する上部接続部材４０の押圧と押圧解除との切換を行うことにより、浄水器３の着脱を容易に行うことができる。この場合、押圧手段５０において、操作レバー５の操作に連動して回動するカム部材５１によって、従動部材５５を介して上部接続部材４０を押圧するようにしたので、操作レバー５の操作による上部接続部材４０の押圧と押圧解除との切換を確実に行うことができる。
【００７８】
次に、出水口２ｃに連通する出水回路の下流側配管２ｂは、浄水器３の浄水用出口側接続口２Ｂに接続されるとともに、浄水器３の外側に対して係止され、出水回路の下流側配管２ｂが浄水器３と一体的に構成されているので、当該配管２ｂの配設が容易となる。また、当該配管２ｂは、浄水器３と共に交換されるため、衛生的に保つことができる。
【００７９】
また、下部接続部材６０は、出水回路の下流側配管２ｂの出水口２ｃ側部分に対応する切欠部６８を有しているので、浄水器３の取付の際、下部接続部材６０の切欠部６８に当該配管２ｂの出水口２ｃ側部分を合わせることにより、浄水器３と出水口２ｃの位置決めを同時に行うことができ、そのような位置決めの作業が極めて容易となる。
【００８０】
次に、空気抜きコック８０と水抜きレバー７０とは、それぞれ浄水器収納室２０内に設けられ、前面カバー１２を開くだけで操作することができるので、冷却タンク１への給水、又は水の入れ替えの際に必要な空気抜き作業の作業性を向上させることが出来る。
【００８１】
また、前面カバー１２の出水口カバー１２ａによって、取水部１１に延出した出水回路の下流側配管２ｂの出水口２ｃ側部分が、使用者の側から覆い隠されるので、冷水機の美観を向上させることが出来る。また、出水口カバー１２ａによって出水口２ｃの位置が確認できるため、冷水を受けるコップ等の容器を置く位置の間違いを防止できる。
【００８２】
［第２の実施形態］
次に、図１２乃至図１４により本発明の第２の実施形態について説明する。本実施形態は、図１２乃至図１４に示すように、図６乃至図８に示す上部接続部材４０、押圧手段５０及び操作レバー５に代えて、それぞれ上部接続部材１４０、押圧手段１５０及び操作レバー１０５を設けた点で上記第１の実施形態と異なり、その他の構成は図１乃至図１１に示す上記第１の実施形態と同様である。
【００８３】
図１２乃至図１４において、上記操作レバー１０５は、浄水器３を左右から挟むとともに収納室壁面２２に対して上下方向に回動自在に取付けられた一対のレバー部１０６と、浄水器３の前方において一対のレバー部１０６の自由端部側同士を連結する連結部１０７とを有している。
【００８４】
また、上記押圧手段１５０は、各一対のカムレバー１５１及びコイルばね１５９を有している。各カムレバー１５１は、その一端１５２が操作レバー１０５に対して回動自在に連結され、他端１５３が、収納室壁面２２に形成された摺動穴２２ａを摺動自在に貫通している。
【００８５】
また、各カムレバー１５１には円弧状スリット１５６が形成され、上部接続部材１４０の両端部に、各カムレバー１５１のスリット１５６内に突出するガイド突起１４５が設けられている。そして、上部接続部材１４０の各ガイド突起１４５と、操作レバー１０５の各レバー部１０６とカムレバー１５１との連結部分１５２ａとの間に、上記コイルばね１５９が掛け渡されている。
【００８６】
次に、図１２及び図１３により、操作レバー１０５による押圧手段１５０の動作について説明する。まず、図１２は操作レバー１０５が押し下げられ、押圧手段１５０が押圧状態にある場合を示している（図１４も同様）。この押圧状態では、主にコイルばね１５９の引張力によって上部接続部材１４０が浄水器３側に対して弾性的に押圧されている。
【００８７】
そして、図１２に示す状態から、操作レバー１０５を引き上げると、図１３に示すようにカムレバー１５１が連動する。この過程で、コイルばね１５９が縮んでその引張力が解除されるとともに、各カムレバー１５１のスリット１５６によって、ガイド突起１４５を介して上部接続部材１４０が浄水器３から上方へ引き離される。
【００８８】
次に、このような構成よりなる本実施形態の作用について説明する。本実施形態によれば、一対のコイルばね１５９の引張力によって上部接続部材１４０が左右から浄水器３側に対して押圧され、また、操作レバー１０５の引き上げに連動する一対のカムレバー１５１によって、上部接続部材１４０が左右から引き上げられるので、浄水器３に対する上部接続部材１４０の着脱をバランス良く確実に行うことができる。
【００８９】
【発明の効果】
請求項１記載の発明によれば、収納室カバーを開くだけで、収納室内の浄水器を露出させ、浄水器の着脱作業を行うことができる。このため、浄水器の交換作業を極めて容易に行うことができる。
【００９０】
請求項２記載の発明によれば、前面カバーを開くだけで、収納室内の浄水器を露出させ、浄水器の着脱作業を行うことができる。このため、キャビネットの前面以外の部分が壁や他の機器類によって塞がれている場合であっても、冷水機自体を動かすことなく、浄水器の交換作業を容易に行うことができる。
【００９１】
請求項６又は９記載の発明によれば、浄水器は、他方の通水路を流れる冷却タンクの冷水によって内部が冷却状態に維持されるので、冷却タンク内の冷水の温度に近い温度の浄水を出水口から供給することができる。また、浄水器は、出水回路及び循環回路に対して着脱自在に連結されているので、浄水器全体を容易に着脱することができる。このため、浄水器の交換作業を容易に行うことができる共に、常に適温に冷却された浄水を供給することができる。また、浄水器に設けられた各接続口が循環回路及び出水回路に対して着脱自在となっているので、浄水器の交換の容易性を確保しつつ、浄水器と循環回路及び出水回路との間の接続を確実に行うことができる。
請求項６記載の発明によれば更に、浄水器の各接続口と循環回路及び出水回路との間の着脱を、接続部材を介して行うことにより、直接着脱を行う場合に比べ、装着性の向上を図ることができる。また、各接続部材は、その配管接続部によって、対応する循環回路及び出水回路と確実に接続できるとともに、その接合部によって、浄水器の対応する接続口と容易かつ確実に接続することができる。また、一方の接続部材を、押圧手段によって対応する浄水器の接続口に対して押圧接合させることにより、反対側の他方の接続部材も対応する浄水器の接続口に対して押圧接合されるので、各接続部材の浄水器の接続口に対する接合を確実に保持し、接合部分のシール性を高めることができる。また、操作レバーによって浄水器の接続口に対する接続部材の押圧と押圧解除との切換を行うことにより、浄水器の着脱を容易に行うことができる。
請求項９記載の発明によれば更に、出水口に連通する出水回路を浄水器と一体的に構成することができるので、当該出水回路の配管の配設が容易となる。また、当該出水回路の配管は、浄水器と共に交換されるため、衛生的に保つことができる。
【図面の簡単な説明】
【図１】本発明による浄水機能付冷水機の第１の実施形態の要部を示す横断面図。
【図２】図１に示す浄水機能付冷水機の側面図であって、要部を縦断面にて示す図。
【図３】図１に示す浄水機能付冷水機の外観を示す斜視図。
【図４】図２に示す浄水機能付冷水機の浄水器の部分を一部破断して示す拡大図。
【図５】図１に示す浄水機能付冷水機において、前面カバーを開いた状態で浄水器収納室の部分を示す斜視図。
【図６】図５に示す上部接続部材及び押圧手段の正面図。
【図７】図６に示す上部接続部材及び押圧手段の側面図。
【図８】図７において操作レバーを引き上げた状態を示す図。
【図９】図５に示す下部接続部材の底面図。
【図１０】図５に示す空気抜き弁操作手段の周辺を側方から示す斜視図。
【図１１】図１に示す浄水機能付冷水機の取水部の上部内側を拡大して示す斜視図。
【図１２】本発明による浄水機能付冷水機の第２の実施形態の要部を示す側面図。
【図１３】図１２において操作レバーを引き上げた状態を示す図。
【図１４】図１２に示す浄水機能付冷水機の正面図。
【符号の説明】
１  冷却タンク
２  出水回路
２ａ  出水回路の上流側配管
２Ａ  浄水器の浄水用入口側接続口
２ｂ  出水回路の下流側配管
２Ｂ  浄水器の浄水用出口側接続口
２ｃ  出水口
３  浄水器（浄水カートリッジ）
４  循環回路
４ａ  出水回路の上流側配管
４Ａ  浄水器の冷却水入口側接続口
４ｂ  出水回路の下流側配管
４Ｂ  浄水器の冷却水出口側接続口
５  操作レバー
６  給水回路
７  水抜き管
７ａ  水抜き口
７ｖ  水抜き用開閉弁（水抜き弁）
８  配水管
８ａ  排水口
８ｂ  空気口
８ｖ  空気抜き用開閉弁（空気抜き弁）
１０  キャビネット
１１  取水部
１２  前面カバー
１２ａ  出水口カバー
２０  浄水器収納室
２２  収納室壁面
３０  内側容器
３１  一方の通水路
３２  外側容器
３３  他方の通水路
４０  上部接続部材
４３  配管接続部
４４Ｂ  循環水出口側接合部
５０  押圧手段
５１  カム部材
５５  従動部材
５８  コイルばね（弾性部材）
６０  下部接続部材
６２Ａ  浄水用入口側接合部
６３  配管接続部
６４Ａ  冷却水入口側接合部
６５  冷却水用配管接続部
６６  浄水用配管接続部
６８  切欠部
７０  水抜きレバー（水抜き弁操作手段）
８０  空気抜きコック（空気抜き弁操作手段）
Ｉ１  断熱部材の本体側部分
Ｉ２  断熱部材のカバー部分
【図１】
0003625616.tif 000002
【図２】
0003625616.tif 000003
【図３】
0003625616.tif 000004
【図４】
0003625616.tif 000005
【図５】
0003625616.tif 000006
【図６】
0003625616.tif 000007
【図７】
0003625616.tif 000008
【図８】
0003625616.tif 000009
【図９】
0003625616.tif 000010
【図１０】
0003625616.tif 000011
【図１１】
0003625616.tif 000012
【図１２】
0003625616.tif 000013
【図１３】
0003625616.tif 000014
【図１４】
0003625616.tif 000015